(57)【特許請求の範囲】
【請求項１】
下部に払拭部露呈用開口(11)が形成されている逆箱状の外ケース(1) と、払拭部を前記払拭部露呈用開口(11)より外部に露呈させて外ケース(1) に組み込まれるレフィールパッド(2) とよりなるホワイトボード用イレーザーにおいて、レフィールパッド(2) が６つの頂角縁部(21)を有する正６角柱体であって、このレフィールパッド(2) はその１つの頂角縁部(21)とこれを挟む２つの面(22)、(22)よりなる山形部分が外ケース(1) の長手方向に延びる２分線上に位置するように前記した払拭部露呈用開口(11)から外部に露呈させて各頂角縁部(21)を中心とする６つの尖り先部分のいずれかを払拭部(23)として外部に露呈された山形部分の両裾端に続く２側面を外ケース(1) の両内側面に添わせて外ケース(1) に装脱自在に組み込まれていて、この露呈された山形部分の尖り先部分を払拭部(23)としてボード面を払拭するようにしたことを特徴とするホワイトボード用イレーザー。
【請求項２】
外ケース(1) の下部に、レフィールパッド(2) の１つの頂角縁部(21)とこれを挟む２つの面(22)、(22)よりなる山形部分の形状に対応する断面Ｖ字形状の受け入れ部（31) を有する底蓋(3) が施蓋されている請求項１に記載のホワイトボード用イレーザー。
【発明の詳細な説明】
【技術分野】
【０００１】
本発明は、ホワイトボードに油性インクや水性インクで書き込まれた文字や図形を払拭するために用いるホワイトボード用イレーザーに関するものである。
【背景技術】
【０００２】
ホワイトボードに油性インクや水性インクで書き込まれた文字や図形を払拭するために用いるホワイトボード用イレーザーは、下部に払拭部露呈用開口が形成されている外ケースと、払拭部を前記払拭部露呈用開口より外部に露呈させて外ケースに組み込まれるレフィールパッドとよりなるものを普通とするが、この種のホワイトボード用イレーザーは、４角柱状や円柱状のレフィールパッドをその一面を払拭部露呈用開口から外部に露呈させて外ケースに組み込んであるので払拭部がフラット面または弧面を呈しており、このフラット面または弧面全体がボード面にあたることとなるので、外ケースを把持して払拭する際に力が分散し的確な払拭を行い難いものである。
【特許文献１】特開平７−６７８７６号公報
【発明の開示】
【発明が解決しようとする課題】
【０００３】
本発明が解決しようとするところは、前記のような問題点を解決して、外ケースを把持して払拭する際にボード面に力が集中して作用するようにして的確な払拭を行えるようにしたホワイトボード用イレーザーを提供することである。
【課題を解決するための手段】
【０００４】
前記した課題を解決した本発明のホワイトボード用イレーザーは、下部に払拭部露呈用開口が形成されている逆箱状の外ケースと、払拭部を前記払拭部露呈用開口より外部に露呈させて外ケースに組み込まれるレフィールパッドとよりなるホワイトボード用イレーザーにおいて、レフィールパッドが６つの頂角縁部を有する正６角柱体であって、このレフィールパッドはその１つの頂角縁部とこれを挟む２つの面よりなる山形部分を外ケースの長手方向に延びる２分線上に位置するように前記した払拭部露呈用開口から外部に露呈させて各頂角縁部を中心とする６つの尖り先部分のいずれかを払拭部として外部に露呈された山形部分の両裾端に続く２側面を外ケースの両内側面に添わせて外ケースに装脱自在に組み込まれていて、この露呈された山形部分の尖り先部分を払拭部としてボード面を払拭するようにしたことを特徴とするものである。なお、前記した発明において、外ケースの下部に、レフィールパッドの１つの頂角縁部とこれを挟む２つの面よりなる山形部分の形状に対応する断面Ｖ字形状の受け入れ部を有する底蓋が施蓋されたものとしておけば、不使用時に汚れた払拭部を隠蔽して安定載置できるものとなり、これを請求項２の発明とする。
【発明の効果】
【０００５】
このようなホワイトボード用イレーザーは、外ケースを把持してその払拭部露呈用開口から外部に露呈された部分をボードに当てて払拭することは従来のこの種のホワイトボード用イレーザーと同様であるが、本発明ではレフィールパッドが６つの頂角縁部を有する正６角柱体であって、このレフィールパッドはその１つの頂角縁部とこれを挟む２面よりなる山形部分を払拭部露呈用開口から外部に露呈させてあって、この露呈された山形部分の尖り先部分を払拭部としてボード面を払拭するようにしたので、払拭する際にボード面に力が集中して作用することとなって的確な払拭を行えることとなる。
【０００６】
また、レフィールパッドを正６角柱体としてこれを外ケースに装脱自在に組み込むようにしたので、６つの頂角縁部とこれを挟む２面よりなる６つの山形部分の尖り先部分のいずれもが払拭部として利用できるので、１つの山形部分の尖り先部分が汚れたときには他の頂角縁部とこれを挟む２面よりなる先の山形部分とは別の山形部分が長窓孔から外部に露呈されるように組み替えて長時間にわたり連続使用できるものとなり、さらに、レフィールパッドを正６角柱体としたことにより、外ケースを両内側面が垂直な逆箱状として、イレーザーパッドのうち下端の払拭部露呈用開口から外部に露呈されている山形部分の両裾端に続く２つの側面を外ケースの両内側面に添わせた状態となり、外ケースにレフィールパッドが安定して組み込まれる。なお、外ケースの下部にレフィールパッドの前記した山形部分の形状に対応する断面Ｖ字形状の受け入れ部を有する底蓋を施蓋すれば、不使用時においては長窓孔から外部に露呈されているレフィールパッドの山形部分が隠蔽されるので、汚れた払拭部により周囲ガ汚されることもなくてより好ましいものとなる。
【発明を実施するための最良の形態】
【０００７】
次に、本発明の好ましい実施の形態を示す。
１は長箱状の外ケースであって、この外ケース１は下端に形成される払拭部露呈用開口１１の大きさを１３０×３５×３５ｍｍ程度として合成樹脂材により成形されており、その天板部内面にはその一端から他端にわたって平行するリブ１２，１２が設けられている。一方、２は外ケース１の内部に組み込まれる大きさのレフィールパッドである。このレフィールパッド２の材質は従来から用いられている全ての材質のものを用いることができるが、図示のものは多孔性合成樹脂材よりなる芯材をパイル地で被覆した正六角柱体としており、また、レフィールパッド２の形状は、図示するように、６つの頂角縁部２１とこれを挟む２つの面２２，２２よりなる６つの山形部分の各尖り先部分の全てを払拭部２３として利用できるように正六角柱体としている。そして、このレフィールパッド２はその頂角縁部２１とこれを挟む２つの面２２，２２よりなる各山形部分を前記した払拭部露呈用開口１１から外部に露呈させて外ケース１に組み込まれていて、外ケース１の長手方向に延びる２分線上に頂角縁部２１を位置させて払拭部露呈用開口１１から露呈された山形部分の尖り先部分を払拭部２３としてボード面を払拭するように構成されている。
【０００８】
外ケース１に組み込まれているレフィールパッド２は、払拭部露呈用開口１１から外部に露呈された山形部分の２つの面２２、２２の両裾端に続く２側面を外ケース１の垂直な両内側面に添わせるとともに、払拭部露呈用開口１１から露呈された部分とは反対側の山形部分であって外ケース１の内部にある２つの面を前記したリブ１２，１２に当接させてあり、これによりレフィールパッド２が外ケース１の内部にがたつくことなく安定した組み込み保持されている。なお、３は外ケース１の下部に施蓋されている合成樹脂製の底蓋であって、この底蓋３はレフィールパッド２の１つの頂角縁部２１とこれを挟む２つの面２２、２２よりなる山形部分の形状に対応する断面Ｖ字形状の受け入れ部３１を有するものとしてある。
【図面の簡単な説明】
【０００９】
【図１】本発明の好ましい実施の形態を示す一部切欠正面図である。
【図２】本発明の好ましい実施の形態を示す一部切欠側面図である。
【符号の説明】
【００１０】
１    外ケース
11    払拭部露呈用開口
２    レフィールパッド
21    頂角縁部
22    面
23    払拭部
３    底蓋
31    断面Ｖ字形状の受け入れ部
【図１】
0004578290.tif 000002
【図２】
0004578290.tif 000003